(57)【特許請求の範囲】
【請求項１】
電動送風機が内蔵された本体部と、該本体部に着脱可能にセットされる集塵容器とを有し、
前記集塵容器は筒状の容器本体の下部にヒンジにより開閉可能な底蓋が取り付けられるとともに、前記底蓋が閉成すると該底蓋をロックするロック手段が設けられて構成され、
前記本体部には前記集塵容器が載置される載置面と、該載置面に載置された集塵容器を上方から覆う蓋体と、該蓋体の裏面に設けられたシール部材とが加圧手段として設けられ、前記蓋体が前記集塵容器に被せられたときに前記シール部材が前記集塵容器を下方に加圧することにより前記載置面が前記底蓋を閉成する方向に加圧することを特徴とする電気掃除機。
【発明の詳細な説明】
【０００１】
【発明の属する技術分野】
本発明は、電動送風機が内蔵された本体部と、この本体部に着脱可能にセットされて吸込風に含まれる塵埃を空気と分離して集塵する集塵容器とを有する電気掃除機に関する。
【０００２】
【従来の技術】
従来から、電気掃除機の掃除機本体として、例えば図１６に示すサイクロン式のものが知られている。この掃除機本体１は、電動送風機２及び図示を略す充電池を内蔵した本体部３と、本体部３に着脱可能にセットされた集塵容器４とを有する。
【０００３】
本体部３は、図示を略す前輪及び後輪５と、本体部３の上部をなして図１７に示すように開けることができる蓋体６とを備えている。この蓋体６には、一端に吸込口体が接続される図示を略す可撓性ホースの他端が接続される接続口７と、充電池の充電状態を示す表示器８とが設けられている。
【０００４】
集塵容器４は、側部に把手９が設けられた有底筒状の容器本体１０と、容器本体１０の上部に設けられたフィルタ１１とを備え、フィルタ１１には接続口７と連通する吸込風の導入口１２が形成されている。
【０００５】
この電気掃除機を用いて掃除をする際には、電動送風機２の駆動により塵埃を含む吸込風が接続口７、導入口１２を経て容器本体１０の内部に流入し、それが容器本体１０の内周面に沿って渦状に流れることにより塵埃と空気とが分離され、その塵埃が容器本体１０の底部にゴミとして溜められる。一方、塵埃と分離された空気はフィルタ１１を通過して電動送風機２の方に流れ、最終的には本体部３に設けられた通気孔１３を通って掃除機本体１の機外へと排出される（図１８参照）。
【０００６】
【発明が解決しようとする課題】
ところで、このような電気掃除機において集塵容器４にある程度ゴミが溜まった場合には、蓋体６を開けて集塵容器４を本体部３から取り外し、集塵容器４の容器本体１０からフィルタ１１を取り外し、その容器本体１０の開放された上部から溜まったゴミを除去する必要がある。
【０００７】
そこで、容器本体１０の底部１０ａを開閉可能としてゴミ捨て作業の容易化を図ることが考えられるが、このような場合に底部１０ａが完全に閉まっていない状態で集塵容器４が本体部３にセットされ、そのままの状態で電気掃除機が使用されて集塵容器４にゴミが溜まると、つぎに集塵容器４を本体部３から取り外したときに底部１０ａが開いて、溜まっていたゴミを撒き散らしてしまうおそれがある。
【０００８】
本発明は、上記の事情に鑑みて為されたもので、容器本体の底部が開閉可能でゴミ捨て作業の容易化を図ることができるとともに、集塵容器に溜まったゴミの不測の撒布を防止することができる電気掃除機を提供することを課題としている。
【０００９】
【課題を解決するための手段】
上記課題を解決するため、請求項１に係る発明は、電動送風機が内蔵された本体部と、該本体部に着脱可能にセットされる集塵容器とを有し、前記集塵容器は筒状の容器本体の下部にヒンジにより開閉可能な底蓋が取り付けられるとともに、前記底蓋が閉成すると該底蓋をロックするロック手段が設けられて構成され、前記本体部には前記集塵容器が載置される載置面と、該載置面に載置された集塵容器を上方から覆う蓋体と、該蓋体の裏面に設けられたシール部材とが加圧手段として設けられ、前記蓋体が前記集塵容器に被せられたときに前記シール部材が前記集塵容器を下方に加圧することにより前記載置面が前記底蓋を閉成する方向に加圧する電気掃除機を特徴とする。
【００１１】
【発明の実施の形態】
本発明の実施の形態を図面に基づいて説明する。
【００１２】
図１は、本発明に係る電気掃除機の掃除機本体を示す。この掃除機本体１４は、電動送風機１５が内蔵された本体部１６と、本体部１６に着脱可能にセットされる集塵容器１７とを有する。
【００１３】
本体部１６は、図２に示すように、集塵容器１７が載置される載置面１８と、集塵容器１７の把手１９を位置決めする位置決め突起２０と、図示を略す前輪及び後輪２１（図１参照）と、図示を略すヒンジ機構により軸線Ｏ1を中心に回動して開閉する蓋体２２とを備える。
【００１４】
蓋体２２には、一端に吸込口体が接続される図示を略す可撓性ホースの他端が接続される接続口２３と、充電池の充電状態を示す表示器２４と、蓋体２２の前部に形成されて把手１９を上方から覆うカバー部２５と、蓋体２２の裏面に形成された当接面２６と、当接面２６に形成されて接続口２３に連通する開口２７と、開口２７の周縁に設けられたシール部材２８と、当接面２６に形成された扇状の開口２９と、蓋体２２の内部に形成された風路３０と、風路３０を介して開口２９と連通する開口３１と、オープンボタン３２（図１参照）の操作に連係して作動する係合爪３３とが設けられている。係合爪３３は蓋体２２とは別途に設けられた係合部３４に係合することにより、蓋体２２をロックして閉成状態に維持する。そして、その係合爪３３がオープンボタン３２の操作により作動して係合部３４から外れたときに、蓋体２２のロックが解除されてそれが開くようになっている。
【００１５】
なお、図１、図２において符号３５，３６はそれぞれフィルタ、通気孔を示し、図１８に示すと同様に電動送風機１５に導かれた吸込風はその通気孔３６を通って掃除機本体１４の機外へと排出される。
【００１６】
集塵容器１７は、図３に示すように、側部に把手１９が設けられた容器本体３７と、容器本体３７の上部に取り付けられたフィルタ３８と、容器本体３７の下部に取り付けられた底蓋３９とを有する。
【００１７】
容器本体３７は図４乃至図７に示すように円筒状を呈し、その周壁の外側には把手を構成する把手基体４０が設けられている。把手基体４０の基部４１は容器本体３７の上部に一体形成され、把手基体４０の下部には本体部１６の位置決め突起２０が嵌合する位置決め孔４２が設けられている。また、その基部４１の下方には上下方向にのびる膨出部４３が形成されている。膨出部４３は断面凹状を呈して容器本体３７の内側に膨出し、この膨出部４３の凹部４４には一対の案内板４５ａ，４５ｂと、一対の嵌合溝４６ａ，４６ｂと、逃げ部４７とが形成されている。
【００１８】
容器本体３７の軸線Ｏ2を挟んで膨出部４３と反対側には、すなわち、容器本体３７の周壁上において膨出部４３と対向する位置には、一対の対向壁４８ａ，４８ｂが形成されている。この一対の対向壁４８ａ，４８ｂは膨出部４３の中心及び軸線Ｏ2を含む鉛直面に対して対称に位置し、各対向壁４８ａ，４８ｂにはそれぞれ係合孔４９ａ，４９ｂが形成されている。
【００１９】
基部４１の内側には、小径部５０及び大径部５１が上下に直列してなる段付円柱部５２と、ネジ孔５３とが形成されている。段付円柱部５２にはコイルスプリング５４が取り付けられ、コイルスプリング５４には解除ボタン５５が被せられる。
【００２０】
解除ボタン５５はボタン部５６とフランジ部５７とを備え、解除ボタン５６の上方からは図８に示す把手カバー５８が取り付けられる。詳細には、把手カバー５８の上面部５９には貫通孔６０、ネジ挿通孔６１及び本体部１６のカバー部２５が当接する当接部６２が形成されるとともに、その側面部６３の内側には嵌合凸部６４が形成され、解除ボタン５５のボタン部５６が貫通孔６０を下方から貫通してフランジ部５７が上面部５９に下方から当接するように、かつ、嵌合凸部６４が把手基体４０に形成された嵌合孔６５（図３、図４参照）に嵌合するように、把手カバー５８が把手基体４０に取り付けられる。このとき、把手基体４０のネジ孔５３と把手カバー５８のネジ挿通孔６１とは重なり合い、両者は図示を略すネジによりネジ止めされる。
【００２１】
解除ボタン５５には、下方に向けて屈曲するロッド６６が取り付けられている。その屈曲箇所を境にロッド６６の各部を水平部６７、傾斜部６８、垂直部６９とすると、解除ボタン５５には水平部６７が固着され、垂直部６９は一対の案内板４５ａ，４５ｂに挟まれるように膨出部４３の凹部４４に配設される。この凹部４４には図９に示すロッドカバー７０が取り付けられる。
【００２２】
ロッドカバー７０には、その外側に一対の嵌合凸部７１ａ，７１ｂが、内側にリブ７２，７３及び軸受部７４が形成されている。嵌合凸部７１ａ，７１ｂはロッドカバー７０が凹部４４に取り付けられる際に嵌合溝４６ａ，４６ｂに嵌合する。リブ７２，７３には半円状の切欠７５，７６が形成され、ロッド６６の垂直部６９とリブ７２，７３とが干渉しないようになっている。軸受部７４にはクランプ７７が固着されたクランプシャフト７８が軸支され、そのクランプ７７はクランプスプリング７９により矢印Ａ方向に付勢される（図３参照）。また、クランプ７７は後述の係止片に係止する係止爪８０と、凹部４４の逃げ部４７に張り出す張出部８１とを備える。
【００２３】
フィルタ３８は図１０に示す第一フィルタ８２と図１１に示す第二フィルタ８３とが上下に重ねられて構成されている。第二フィルタ８３は枠体８４及びフィルタ本体８５を備えるとともに本体部１６の開口２７に連通する導入口８６を備え、この導入口８６の下方には吸込風が容器本体３７の内周面に沿いつつ下方に流れるように風向板８７が設けられている。第一フィルタ８２は図示を略すスポンジ、不織布等を介して第二フィルタ８３の上部に重ねられ、枠体８８及びフィルタ本体８９と、導入口８６との干渉の回避及び第二フィルタ８３に対する位置決めに供する位置決め凹部９０と、つまみ部９１とを備える。このフィルタ３８が容器本体３７の上部に取り付けられると、膨出部４３は風向板８７の真下に位置する。
【００２４】
底蓋３９は図１２に示すように円盤状を呈し、その円盤の周縁部上面には互いに対向する位置に係止片９２と一対の対向リブ９３ａ，９３ｂとが形成されている。各対向リブ９３ａ，９３ｂには内側に向かって突出する係合突起９４ａ，９４ｂと、エンボス状の当接部９５ａ，９５ｂとが形成されている。係合突起９４ａ，９４ｂは容器本体３７の係合孔４９ａ，４９ｂに係合されてヒンジ９６を構成し、当接部９５ａ，９５ｂは底蓋３９が容器本体３７を閉成した際に対向壁４８ａ，４８ｂに当接し、これにより底蓋３９のガタが防止されるようになっている。さらに、底蓋３９の上面には全周に亘る取付溝９７が形成され、この取付溝９７にシールパッキン９８が取り付けられて、底蓋３９が容器本体３７を閉成した際に容器本体３７の内部の気密が保たれるようになっている。
【００２５】
この集塵容器１７を本体部１６にセットするには、使用者は本体部１６の蓋体２２を開けた状態で集塵容器１７の底蓋３９を載置面１８に載置し、蓋体２２を軸線Ｏ1まわりに回動させて図１３に示すように集塵容器１７の上部に被せる。このとき、シール部材２８が導入口８６の周囲に密着するようにフィルタ３８を下方に加圧するとともに、当接面２６が第一フィルタ８２の枠体８８（又は第二フィルタ８３の枠体８４）に密着するようにフィルタ３８を下方に加圧し、これにより底蓋３９は載置面１８によって閉成する方向に加圧される（なお、図１３において矢印は吸込風の流れを示し、接続口２３からの吸込風は開口２７、導入口８６、フィルタ本体８５，８９、開口２９、風路３０、開口３１及びフィルタ３５を経て電動送風機１５に導かれる。）。
【００２６】
一方、集塵容器１７に溜まったゴミを除去する場合には、使用者はオープンボタン３２を操作して係合爪３３による蓋体２２のロックを解除し、蓋体２２を開いて集塵容器１７を本体部１６から取り外す。そして、コイルスプリング５４により上方に付勢されている解除ボタン５５のボタン部５６を、そのコイルスプリング５４の付勢力に抗して押し下げる。この解除ボタン５５の押下げに伴い、ロッド６６が下方へ移動し、その垂直部６９が案内板４５ａ，４５ｂ及び切欠７５，７６に案内されつつ下方へスライドする。
【００２７】
ここで、解除ボタン５５が押し下げられる前には、クランプ７７は係止爪８０が底蓋３９の係止片９２に係止したロック位置（図１４（ａ））にあるが、垂直部６９が下方にスライドして所定のスライド位置に達し、その下端部６９ａが張出部８１に接触してクランプ７７を回動させると、クランプ７７による底蓋３９のロックは解除される（図１４（ｂ））。垂直部６９がさらに下方にスライドすると、クランプ７７は張出部８１が係止片９２の上部に接触する位置（図１４（ｃ））まで回動し、底蓋３９が下方に押圧されて係合突起９４ａ，９４ｂを支点に回動して開き、容器本体３７に溜まったゴミが除去される（図１５）。
【００２８】
この実施の形態に係る電気掃除機では、容器本体３７の底部をなす底蓋３９が開閉可能であるので、その容器本体３７に溜まったゴミを除去する場合に解除ボタン５５を操作して底蓋３９を開けるだけでよく、ゴミ捨て作業の容易化が図られる。
【００２９】
また、集塵容器１７が本体部１６にセットされるときに、それが蓋体２２と載置面１８とに挟持され、底蓋３９が載置面１８によって閉成する方向に加圧されるので、たとえ底蓋３９が完全に閉じていない状態で集塵容器１７を本体部１６にセットしようとしても、セットされた集塵容器１７の底蓋３９は完全に閉じられることとなり、つぎに集塵容器１７を本体部１６から取り外したときに底蓋３９が開いてゴミを不測に撒き散らしてしまうという事態が防止される。
【００３０】
なお、上記実施の形態ではシール部材２８及び当接面２６がフィルタ３８を下方に押圧し、底蓋３９が閉成する方向に加圧されることとしたが、カバー部２５が把手１９の当接部６２を下方に押圧し、底蓋３９が閉成する方向に加圧されることとしてもよい。
【００３１】
【発明の効果】
以上説明したように、本発明によれば、筒状の容器本体の下部にヒンジにより開閉可能な底蓋が取り付けられるとともに、容器本体に対して底蓋を閉成状態にロックするロック手段が設けられて集塵容器が構成されるので、容器本体に溜まったゴミを除去する場合にロック手段によるロックを解除して底蓋を開けるだけでよく、ゴミ捨て作業の容易化が図られる。
【００３２】
また、本体部には集塵容器がセットされたときに、その底蓋を閉成する方向に加圧する加圧手段が設けられているので、たとえ底蓋が完全に閉じていない状態で集塵容器をセットしようとしても、セットされた集塵容器の底蓋は加圧手段により完全に閉じられることとなり、つぎに集塵容器を本体部から取り外したときに底蓋が開いてゴミを不測に撒き散らしてしまうという事態が防止される。
【００３３】
さらに、本体部に集塵容器が載置される載置面と、この載置面に載置された集塵容器を上方から覆う蓋体と、この蓋体の裏面に設けられたシール部材とが加圧手段として設けられているので、上述のような効果を簡易な構成で得ることができる。
【図面の簡単な説明】
【図１】本発明に係る電気掃除機の掃除機本体を示す斜視図である。
【図２】図１の掃除機本体の本体部を示す斜視図である。
【図３】図１の掃除機本体の集塵容器を示す斜視図である。
【図４】図３の集塵容器の容器本体の全体を示す斜視図である。
【図５】容器本体の後部を拡大して示す斜視図である。
【図６】容器本体の前部を拡大して示す斜視図である。
【図７】把手基体の基部を拡大して示す斜視図である。
【図８】（ａ）は集塵容器の把手カバーを表側から見た斜視図、（ｂ）はその把手カバーを裏側から見た斜視図である。
【図９】（ａ）は集塵容器のロッドカバーを表側から見た斜視図、（ｂ）はそのロッドカバーを裏側から見た斜視図である。
【図１０】集塵容器の第一フィルタを示す斜視図である。
【図１１】（ａ）は集塵容器の第二フィルタを上側から見た斜視図、（ｂ）はその第二フィルタを下側から見た斜視図である。
【図１２】（ａ）は集塵容器の底蓋を表側から見た斜視図、（ｂ）はその底蓋を裏側から見た斜視図である。
【図１３】（ａ）はクランプが底蓋をロックしている状態を示す説明図、（ｂ）はクランプによるロックが解除された状態を示す説明図、（ｃ）はクランプが底蓋を下方に押圧している状態を示す説明図である。
【図１４】図３の集塵容器の底蓋が開いた状態を示す断面図である。
【図１５】（ａ）はクランプが底蓋をロックしている状態を示す説明図、（ｂ）はクランプによるロックが解除された状態を示す説明図、（ｃ）はロッドが底蓋を下方に押圧している状態を示す説明図である。
【図１６】従来の電気掃除機の掃除機本体を示す斜視図である。
【図１７】図１６の掃除機本体の蓋体が開けられた状態を示す斜視図である。
【図１８】図１６の電気掃除機本体における吸込風の流れを示す説明図である。
【符号の説明】
１４  掃除機本体
１５  電動送風機
１６  本体部
１７  集塵容器
１８  載置面
２２  蓋体
３７  容器本体
３９  底蓋
７７  クランプ（ロック手段）
９６  ヒンジ
【図１】
0003656836.tif 000002
【図２】
0003656836.tif 000003
【図３】
0003656836.tif 000004
【図４】
0003656836.tif 000005
【図５】
0003656836.tif 000006
【図６】
0003656836.tif 000007
【図７】
0003656836.tif 000008
【図８】
0003656836.tif 000009
【図９】
0003656836.tif 000010
【図１０】
0003656836.tif 000011
【図１１】
0003656836.tif 000012
【図１２】
0003656836.tif 000013
【図１３】
0003656836.tif 000014
【図１４】
0003656836.tif 000015
【図１５】
0003656836.tif 000016
【図１６】
0003656836.tif 000017
【図１７】
0003656836.tif 000018
【図１８】
0003656836.tif 000019